(57)【特許請求の範囲】
【請求項１】
火災受信機のコモン端子に接続されるコモン用接続端子と；
上記火災受信機の複数の回線端子に接続される複数の回線用接続端子と；
上記コモン用接続端子、回線用接続端子のうちの一方に接続され、終端抵抗の抵抗値、上記終端抵抗と並列に火災感知器が最大数接続されたときの等価抵抗との合成抵抗の抵抗値、火災感知器が最大数接続されたときの等価抵抗の抵抗値のそれぞれと同じ抵抗値に設定されている３つのダミー抵抗器と；
上記３つのダミー抵抗器の１つを選択的に接続し、上記コモン用接続端子、回線用接続端子のうちの他方に接続されている負荷試験用切換スイッチと；
を有し、上記３つのダミー抵抗器のうちで選択された１つのダミー抵抗器を使用した負荷試験の結果を、火災受信機に設けられている導通試験メータに表示させることを特徴とする火災受信機の診断装置。
【請求項２】
請求項１において、
火災受信機のコモン端子に接続されるコモン用接続端子と；
上記火災受信機の複数の回線端子に接続される複数の回線用接続端子と；
上記火災受信機の受信リレーの感動電流値測定用として可変抵抗器と電流計とが直列に接続されている直列回路と；
上記複数の回線用接続端子のうちの１つの回線用接続端子を選択し、この選択された回線用接続端子と上記コモン用接続端子との間に、上記直列回路を接続する回線切換スイッチと；
を有することを特徴とする火災受信機の診断装置。
【請求項３】
請求項２において、
上記コモン用接続端子に接続されている第１のオシロスコープ用接続端子と；
上記複数の回線用接続端子の１つを選択し、切換える切換スイッチと；
上記切換スイッチが選択した回線用接続端子に接続される第２のオシロスコープ用接続端子と；
上記第１のオシロスコープ用接続端子と上記第２のオシロスコープ用接続端子とに接続されている電圧計と；
を有することを特徴とする火災受信機の診断装置。
【請求項４】
請求項１または請求項２において、
電流計と；
上記電流計の一方の端子に、一端が接続されている第１の電線と；
上記電流計の他方の端子に、一端が接続されている第２の電線と；
上記第１の電線の他端に設けられている第１の端子と；
上記第２の電線の他端に設けられている第２の端子と；
上記第１の端子と上記第２の端子との間隔を、火災受信機に内蔵されている予備電池の充電電流測定用として上記予備電池と直列に接続されているガラス管ヒューズホルダの端子間隔と同じ長さに固定する間隔固定手段と；
を有することを特徴とする火災受信機の診断装置。
【発明の詳細な説明】
【０００１】
【発明の属する技術分野】
本発明は、火災受信機の診断装置に関する。
【０００２】
【従来の技術】
Ｐ型火災受信機は、たとえば２０年以上の長期間使用するものであるので、老朽化に伴う機能劣化が考えられ、火災受信機が正常であるか否かをチェックする必要がある。
【０００３】
たとえば、火災受信回路のリレーの感動電流値や、予備電池充電回路の充電電流値や、導通試験回路の指示値を確認する場合、火災受信機の扉を開き、電流計と、電圧計と、可変抵抗器と、抵抗器と等の複数の試験器具を、盤内で結線し、回路を組み、その後に、チェック作業を実行している。
【０００４】
【発明が解決しようとする課題】
しかし、上記従来例において、第１の回線の測定が終了し、第２の回線に移る際に、まず、火災受信機の盤面上の復旧スイッチを押し、火災受信機の火災受信保持状態を解除し、上記第２の回線の外線を、その端子からドライバで外し、上記第２の回線の外線の代わりに、第１の回線の端子から外した鰐口クリップを接続し、測定が終了した第１の回線の端子に、測定前に外した第１の回線用外線を取り付け、この取り付け部分をドライバで固定する。これら一連の操作を、１つの回線について測定が終了する毎に、実行する必要があり、この操作が煩雑であるという問題がある。
【０００５】
また、上記従来方法では、上記複数の試験器具を必要とするので、上記複数の試験器具を携帯することが煩わしいという問題があり、また、盤内の空中で回路組みを行っているので、上記試験器具の取り扱いが困難であるという問題があり、さらに、回路組みにおいて、その誤接続の可能性があり、操作が煩雑であるという問題がある。
【０００６】
本発明は、携帯が容易であり、また、試験器具の取り扱いが容易であり、さらに、誤接続の可能性が極めて少ない火災受信機の診断装置を提供することを目的とするものである。
【０００７】
【課題を解決するための手段】
本発明は、火災受信機のコモン端子に接続されるコモン用接続端子と、上記火災受信機の複数の回線端子に接続される複数の回線用接続端子と、上記コモン用接続端子、回線用接続端子のうちの一方に接続され、終端抵抗の抵抗値、上記終端抵抗と並列に火災感知器が最大数接続されたときの等価抵抗との合成抵抗の抵抗値、火災感知器が最大数接続されたときの等価抵抗の抵抗値のそれぞれと同じ抵抗値に設定されている３つのダミー抵抗器と、上記３つのダミー抵抗器の１つを選択的に接続し、上記コモン用接続端子、回線用接続端子のうちの他方に接続されている負荷試験用切換スイッチとを有し、上記３つのダミー抵抗器のうちで選択された１つのダミー抵抗器を使用した負荷試験の結果を、火災受信機に設けられている導通試験メータに表示させることを特徴とする火災受信機の診断装置である。
【０００８】
【発明の実施の形態および実施例】
図１は、本発明の第１の実施例である火災受信機の診断装置１００の平面図と正面図とである。
【０００９】
図２は、火災受信機の診断装置１００を示す回路図である。
【００１０】
火災受信機の診断装置１００は、Ｐ型の火災受信機ＲＥのコモン端子に接続されるコモン用接続端子ｔ１１と、火災受信機ＲＥの複数の任意の回線端子に接続される回線用接続端子ｔ１２、ｔ１３と、コモン用接続端子ｔ１１に接続されている第１のオシロスコープ用接続端子ｔ１６と、第２のオシロスコープ用接続端子ｔ１７と、充電電流試験用端子ｔ１４と、充電電流試験用端子ｔ１５とを有する。
【００１１】
なお、回線用接続端子ｔ１２、ｔ１３の代わりに、３つ以上の回線用接続端子を設けるようにしてもよい。
【００１２】
また、火災受信機の診断装置１００は、３つのダミー抵抗器Ｒ１、Ｒ２、Ｒ３と、３つのダミー抵抗器Ｒ４、Ｒ５、Ｒ６と、抵抗器Ｒ７、Ｒ９、Ｒ１０と、可変抵抗器Ｒ８と、スイッチＳＷ１、ＳＷ２、ＳＷ３、ＳＷ４、ＳＷ５、ＳＷ６と、メータＭ１と、ケースＣＳ１とを有する。
【００１３】
３つのダミー抵抗器Ｒ１、Ｒ２、Ｒ３は、コモン用接続端子ｔ１１、回線用接続端子ｔ１３のうちの一方に接続されている３つのダミー抵抗器の例である。
【００１４】
抵抗器Ｒ７は、充電電流試験用端子ｔ１４とｔ１５との間に接続されている。可変抵抗器Ｒ８、抵抗器Ｒ９、Ｒ１０は、互いに直列接続されている。なお、可変抵抗器Ｒ８は、発報電流確認ボリュームＶＲ１によって抵抗値が調整される。
【００１５】
スイッチＳＷ１は、回線用接続端子ｔ１２、ｔ１３の一方を選択するスイッチである。スイッチＳＷ１は、複数の回線用接続端子のうちの１つの回線用接続端子を選択し、この選択された回線用接続端子とコモン用接続端子ｔ１１との間に、可変抵抗器Ｒ８と電流計Ｍ１とが直列に接続されている直列回路を接続する回線切換スイッチの例である。
【００１６】
スイッチＳＷ３は、３つのダミー抵抗器Ｒ１、Ｒ２、Ｒ３の組と、３つのダミー抵抗器Ｒ４、Ｒ５、Ｒ６の組とのうちの一方の組を選択する火災受信機タイプ選択用のスイッチである。
【００１７】
切換スイッチＳＷ２は、スイッチＳＷ１によって選択された回線用接続端子を、スイッチＳＷ３に接続するか、可変抵抗器Ｒ８およびスイッチＳＷ６側に接続するかを選択するスイッチである。
【００１８】
スイッチＳＷ４は、ダミー抵抗器Ｒ１、Ｒ２、Ｒ３のうちの１つの抵抗器と、ダミー抵抗器Ｒ４、Ｒ５、Ｒ６のうちの１つの抵抗器とを選択するスイッチである。スイッチＳＷ４は、たとえば３つのダミー抵抗器Ｒ１、Ｒ２、Ｒ３の１つを選択的に接続し、コモン用接続端子ｔ１１、回線用接続端子ｔ１２、ｔ１３のうちの他方に接続されている負荷試験用切換スイッチの例である。
【００１９】
スイッチＳＷ５は、２つのスイッチが連動するスイッチであり、メータＭ１の端子が接続される端子として端子Ａ、Ｂ、Ｃのうちの１つを選択するスイッチである。１つ目のスイッチＳＷ５（図２中、下側のスイッチＳＷ５）側において、端子Ａは、端子ｔ１７に接続され、端子Ｂは、抵抗Ｒ９とＲ１０との接続点に接続され、端子Ｃは、ヒューズＦを介して、端子ｔ１４に接続されている。
【００２０】
２つ目のスイッチＳＷ５（図２中、上側のスイッチＳＷ５）において、端子Ａ、Ｂは、抵抗Ｒ１〜Ｒ６のスイッチＳＷ４と反対側の端子に接続され、端子Ｃは、端子ｔ１５に接続されている。
【００２１】
スイッチＳＷ６は、直列抵抗Ｒ８、Ｒ９、Ｒ１０の一端と端子ｔ１１との間に接続されている。
【００２２】
また、メータＭ１は、回線の線間電圧を測定する場合には、第１のオシロスコープ用接続端子ｔ１６と第２のオシロスコープ用接続端子ｔ１７とに接続されている電圧計の例であり、
ケースＣＳ１は、図２に示す部品を収納するケースである。
【００２３】
次に、上記実施例の動作について説明する。
【００２４】
まず、上記実施例において、火災受信機ＲＥ内の回線導通検出回路を試験する場合における動作について説明する。
【００２５】
図３は、火災受信機ＲＥ内の回線導通検出回路を試験する場合における診断装置１００の等価回路図である。
【００２６】
まず、試験の前に、図３に×印で示すように、試験を行おうとする回線の外線を受信機ＲＥの回線端子から外し、受信機ＲＥのコモン端子とコモン用接続端子ｔ１１とを接続し、回線用接続端子ｔ１２と先に外した回線の回線端子とを接続する。そして、可変抵抗ＶＲ（図２に、スイッチＳＷ４と抵抗Ｒ１〜Ｒ６とによって示されている回路）の抵抗値を所定の値に変化させ、火災受信機ＲＥに設けられている導通メータＭ２を見て、火災受信機ＲＥを診断する。
【００２７】
つまり、火災受信機ＲＥの感知器接続端子間における３つの抵抗値の状態、すなわち▲１▼感知器回路の最大負荷時（１つの回線に接続しうる煙感知器Ｓの最大数（たとえば３０個）と規定の終端抵抗が並列接続されたとき）、▲２▼規定の終端抵抗のみの接続時、▲３▼感知器Ｓの最大数接続時（終端抵抗無し）のそれぞれの場合において、対応するダミー抵抗を与え、火災受信機ＲＥの盤上の導通試験メータＭ２の指示値が、▲１▼の場合に、導通範囲にあり、▲２▼の場合に、設計基準範囲にあり、▲３▼の場合に、断線範囲にあることを確認し、回線の断線と導通とが正しく判断されるか否かを診断する。
【００２８】
まず、火災受信機ＲＥの感知器接続端子間の使用状態の電圧が正常範囲であることを確認する。なお、既に他の診断によって電圧を確認していれば、この工程は不要である。
【００２９】
次に、火災受信機ＲＥの感知器接続端子（コモン端子、回線端子）において任意のライン端子から１回線の外線を外し、この回線端子に診断装置１００の回線用接続端子ｔ１２からの鰐口クリップを接続させ、コモン端子に診断装置１００のコモン用接続端子ｔ１１からの鰐口クリップを接続させる。そして図１、図２の診断装置１００において、スイッチＳＷ１をＧ側（図２の端子ｔ１２側）に選び、スイッチＳＷ２をＩ側（導通試験）に選び、スイッチＳＷ３を診断対象の火災受信機のタイプに対応したダミー抵抗器の組側、たとえばＫ側（１０ｋΩタイプ）を選ぶ。
【００３０】
そして、まずスイッチＳＷ４をＤ側（終端のみ）▲２▼に切り換えて火災受信機ＲＥの盤面上、つまり扉の導通試験メータＭ２の指示が設定基準範囲内にあることを確認する。同様に、上記▲１▼、▲３▼に対応するダミー抵抗器Ｒ２、Ｒ３に接続する端子Ｅ、Ｆに、順次スイッチＳＷ４を切り換えて、それぞれ、所定の指示範囲にあることを確認する。
【００３１】
同様にして、順次試験する回線を選び、上記の方法で順次試験を行うようにしてもよい。
【００３２】
なお、上記実施例においてＲ１、Ｒ４は規定の終端抵抗を、Ｒ２、Ｒ５は規定の終端抵抗と煙感知器を最大数接続したときに相当する等価抵抗とを並列接続した抵抗、Ｒ３、Ｒ６は煙感知器を最大数接続したときの等価抵抗をそれぞれ示す抵抗値に設定されている。上記実施例において、３つの小さな抵抗器を感知器接続端子に順番に着脱する必要がない、もしくは、可変抵抗器ＶＲを用いた場合は、設定抵抗値が正しいことを図示しない抵抗計にて設定毎に可変抵抗器ＶＲを測定する必要がないので、その診断操作が容易である。また、火災受信機ＲＥの種類によって上記抵抗器の組み合わせが別になるが、抵抗器の組み合わせを火災受信機ＲＥの種類の数だけ複数組（上記実施例では２組）そろえて、スイッチＳＷ３の切換により選択するようにすると多種類の抵抗器を携帯する必要がなく、抵抗器の紛失の恐れがなく、対応しない抵抗器を接続する可能性がない。
【００３３】
次に、上記実施例において、火災受信機ＲＥ内の受信リレーの感動電流値を測定する場合、すなわち火災受信回路診断における動作について説明する。
【００３４】
図４は、火災受信機ＲＥ内の受信リレーの感動電流値を測定する場合における診断装置１００の等価回路図である。
【００３５】
まず、試験の前に、図４に×印で示すように、２つの試験対象の回線の外線を、受信機ＲＥの回線端子から外し、受信機ＲＥのコモン端子とコモン用接続端子ｔ１１とを接続し、回線用接続端子ｔ１２、ｔ１３と、それぞれ、先に外した受信機ＲＥの回線端子とをそれぞれ接続する。次に、図１、図２における接続状態は、回線用接続端子ｔ１２に接続された受信リレーの感動電流値を測定する場合、スイッチＳＷ１はＧ側（図２の端子ｔ１２側）を選び、スイッチＳＷ２はＪ側（発報電流確認）を選び、スイッチＳＷ５はＢ側（発報電流）を選んでおく。そして、受信リレーＲＹの感動電流値よりも小さい電流値になるように、可変抵抗器Ｒ８を大きめの抵抗値に調整し、次第に小さい抵抗値にする。途中で受信リレーが動作すると共に、火災表示灯が点灯するので、その時点の電流値を、メータＭ１で読む。この読み取った値が、感動電流値である。
【００３６】
次に、他の回線用接続端子ｔ１３を選ぶためにスイッチＳＷ１をＨ側（図２の端子ｔ１３側）に切り換えて、上記と同様に可変抵抗器Ｒ８を調整する。
【００３７】
火災受信機ＲＥに接続されている回路の感知器が発報したときに流れる電流（感動電流値）を捕らえ、作動する受信リレーの最低感動電流値を測定し、この測定した最低感動電流値が、設計基準範囲に存在するか否かを判定することができる。
【００３８】
上記実施例において、診断装置１００のライン切換スイッチＳＷ１を切り換えることによって、所望の回線を選択するので、火災受信回路の試験が終了すると、これらの端子ｔ１２、ｔ１３を、一度に外すことができ、端子の取り外し作業が容易である。
【００３９】
なお、端子ｔ１２、ｔ１３の代わりに、３つ以上の端子を設ければ、３回線以上を１回のセッティングで順次検査することができる。
【００４０】
次に、上記実施例において、感知器Ｓの接続端子間の電圧を測定する場合における動作について説明する。
【００４１】
図５は、感知器Ｓの接続端子間の電圧を測定する場合における診断装置１００の等価回路図である。
【００４２】
まず、端子ｔ１１と、火災受信機ＲＥのコモン端子とを、端子ｔ１２と診断する回線の回線端子とをそれぞれ感知器が接続された状態のまま接続する。図１、図２において接続関係を説明すると、スイッチＳＷ１はＧ側（図２の端子ｔ１２）を選び、スイッチＳＷ２はＩ側（回線電圧）を選び、スイッチＳＷ５はＡ側（回線電圧）を選び、オシロスコープ用接続端子ｔ１６、ｔ１７にはオシロスコープのプローブを接続する。そして、オシロスコープ１０を使用して、回線におけるリップル（不安定揺れ幅）だけを測定し、回線間の電圧を、診断装置１００のメータＭ１から、読み込む。
【００４３】
煙感知器接続端子間に加えられる電圧と電圧波形とにおけるリップルが、設計基準範囲内であるか否かを測定する。この測定は、平常監視状態における場合と、他の複数の回線が発報し火災受信保持した状態における場合との両方の場合に実行する。この測定によって、他回線の動作状況から影響を受けないことも確認できる。
【００４４】
平常監視状態においては、診断装置１００とオシロスコープで、電圧とリップルとを読取る。次に、発報保持状態においては、火災受信機ＲＥの盤面上の回線試験用のロータリースイッチを回して、他の回線を指定し、たとえば、オシロスコープが火災受信機ＲＥの第１回線に接続しているのであれば、第６回線から第１０回線を同時に指定し（復旧をかけなければ、自動的に発報保持状態になる）、上記と同様にして、診断装置１００とオシロスコープで、電圧とリップルとを読取る。
【００４５】
ところで、上記実施例において、前段階で火災受信回路診断を行い、これに引き続いて、感知器Ｓの接続端子間の電圧を測定する場合、火災受信機ＲＥの盤面内の回線端子に検査用の端子を着脱するという面倒な着脱作業をしなくても、スイッチＳＷ２を切り換えるだけで、オシロスコープ用接続端子ｔ１６、１７へ容易に接続することができ、オシロスコープ１０を接続できるので、オシロスコープ１０の接続操作が容易である。
【００４６】
次に、上記実施例において、火災受信機ＲＥに内蔵されている予備電池ＢＴの充電電流を測定する動作について説明する。
【００４７】
図６は、火災受信機ＲＥに内蔵されている予備電池ＢＴの充電電流を測定する場合における診断装置１００の等価回路図である。
【００４８】
まず、交流電源が定格電圧であることを確認。また、火災受信機ＲＥの盤上の予備電源試験スイッチを押し、規定の電圧範囲であり、予備電池ＢＴに異常がないことを確認する。
【００４９】
そして、火災受信機ＲＥに内蔵されている予備電池ＢＴと直列に接続されているヒューズホルダの端子ＦＨ１、ＦＨ２から、ヒューズを外し、診断装置１００の充電電流試験用端子ｔ１４、ｔ１５を、それぞれ、ヒューズホルダの端子ＦＨ１、ＦＨ２に接続する。図２において、スイッチＳＷ５はＣ側（充電電流）を選ぶ。
【００５０】
このようにすることによって、予備電池ＢＴの充電電流が、抵抗器Ｒ７に流れ、抵抗器Ｒ７の両端電圧をメータＭ１が測定し、メータＭ１に、予備電池ＢＴの充電電流の値が表示される。
【００５１】
図７は、上記実施例において、予備電池ＢＴの充電電流を測定する場合に使用する充電電流試験用アダプタ２０を示す図である。
【００５２】
充電電流試験用アダプタ２０は、第１の電線２１と、第２の電線２２と、端子ｔ１４’、ｔ１５’と、Ｔ字形支持体２３とを有し、Ｔ字形支持体２３は支持体枝部２４を有する。
【００５３】
第１の電線２１は、電流計Ｍ１の一方の端子に、一端が接続されている電線であり、第２の電線２２は、電流計Ｍ１の他方の端子に、一端が接続されている電線である。
【００５４】
端子ｔ１４’は、第１の電線２１の他端に接続され、Ｔ字形支持体２３の一端に固定されている。端子ｔ１５’は、第２の電線２２の他端に接続され、Ｔ字形支持体２３の他端に固定されている。また、端子ｔ１４’とｔ１５’との間隔Ｌは、ガラス管ヒューズホルダの端子ＦＨ１とＦＨ２との間隔Ｌと同じである。
【００５５】
Ｔ字形支持体２３は、ガラス管ヒューズと相似形を有し、支持体枝部２４は、Ｔ字形支持体２３の胴部から枝状に突設されており、結束材で巻き締めて電線２１、２２を固定するものである。Ｔ字形支持体２３は、第１の端子と第２の端子との間隔を、ガラス管ヒューズホルダの端子ＦＨ１とＦＨ２との端子間隔と同じ長さに固定する間隔固定手段の例である。
【００５６】
充電電流試験用アダプタ２０をガラス管ヒューズホルダの端子ＦＨ１、ＦＨ２に嵌め込みさえすれば、予備電池ＢＴの充電電流を測定することができ、予備電池ＢＴの充電電流の測定操作が容易である。つまり、２つのガラス管ヒューズホルダの端子ＦＨ１、ＦＨ２に接続する動作を、ワンタッチで実行することができる。しかも、充電電流試験用アダプタ２０が、ガラス管ヒューズとほぼ相似の端子であるので、ガラス管ヒューズと取り替えるような作業で簡単に着脱接続することができ、また、Ｔ字形支持体２３が、把持部としての機能を有するので、この点でも、着脱が極めて容易である。
【００５７】
図８は、上記実施例において、予備電池ＢＴの充電電流を測定する場合に使用する充電電流試験用アダプタ３０を示す図である。
【００５８】
充電電流試験用アダプタ３０は、電線３１、３２と、樹脂クリップ３３と、端子ｔ１４’’、ｔ１５’’とを有する。
【００５９】
第１の電線３１は、電流計Ｍ１の一方の端子に、一端が接続されている電線であり、第２の電線３２は、電流計Ｍ１の他方の端子に、一端が接続されている電線である。
【００６０】
端子ｔ１４’’は、第１の電線３１の他端に接続され、樹脂クリップ３３の一端の内側に固定されている。端子ｔ１５’’は、第２の電線３２の他端に接続され、樹脂クリップ３３の他端の内側に固定されている。また、端子ｔ１４’’とｔ１５’’との間隔Ｌは、ガラス管ヒューズホルダの端子ＦＨ１とＦＨ２との間隔Ｌと同じである。
【００６１】
幅広の樹脂クリップ３３の挟持部の内側に、端子ｔ１４’’、ｔ１５’’が固定されているので、ガラス管ヒューズホルダの端子ＦＨ１とＦＨ２との接続操作を、ワンタッチで実行することができる。
【００６２】
図９は、診断装置１００が火災受信機ＲＥに取り付けられている例を示す斜視図である。
【００６３】
診断装置１００のケースＣＳ１の表面（側面または背面）に、磁石７１が固定され、火災受信機ＲＥを試験する場合、火災受信機ＲＥの側壁５１に磁石７１を介して診断装置１００を固定し、火災受信機ＲＥの扉５２を開き、火災受信機ＲＥの端子台６１等の必要個所に、診断装置１００からの電線を接続する。
【００６４】
この場合、火災受信機ＲＥの側壁５１に、診断装置１００のケースＣＳ１が磁気吸着されるので、操作者がその両手を自由に使うことができ、したがって、作業性が向上する。なお、６２は外線取入口である。
【００６５】
図１０は、本発明の第２の実施例である診断装置２００を示す斜視図である。
【００６６】
診断装置２００は、基本的には、診断装置１００と同じであり、診断装置１００における磁石７１の代わりに、診断装置２００のケースＣＳ２に係止手段７２が固定されている点が、診断装置１００とは異なる。
【００６７】
係止手段７２として、紐または帯を設け、これら紐または帯を、操作者が首や肩に下げることによって、携帯が楽になり、しかも、試験時に両手が空き、作業性が向上する。
【００６８】
図１１は、本発明の第３の実施例である診断装置３００を示す斜視図である。
【００６９】
診断装置３００は、基本的には、診断装置２００と同じであり、診断装置２００における係止手段７２の代わりに、診断装置３００のケースＣＳ３にフック７３が固定されている点が、診断装置２００とは異なる。
【００７０】
フック７３を設けることによって、火災受信機ＲＥの扉５２や本体筐体の上または下に引っ掛けることができ、これによって、試験時に両手が空き、作業性が向上する。
【００７１】
図１２は、本発明の第４の実施例である診断装置４００を示す斜視図である。
【００７２】
診断装置４００は、基本的には、診断装置２００と同じであり、診断装置２００における係止手段７２の代わりに、診断装置４００のケースＣＳ４にクリップ７４が固定されている点が、診断装置２００とは異なる。
【００７３】
火災受信機ＲＥの扉５２を開き、クリップ７４で側壁５１の板を挟むことによって、診断装置４００を固定することができ、これによって、試験時に両手が空き、作業性が向上する。
【００７４】
なお、上記系止手段の他に、ケースの表面に吸盤を備えるようにしてもよい。
【００７５】
【発明の効果】
本発明によれば、火災受信機の診断装置を容易に携帯することができ、また、火災受信機の診断装置の取り扱いが容易であり、さらに、火災受信機の診断装置における誤接続の可能性が極めて少ないという効果を奏する。
【図面の簡単な説明】
【図１】本発明の第１の実施例である火災受信機の診断装置１００の平面図と正面図とである。
【図２】火災受信機の診断装置１００を示す回路図である。
【図３】火災受信機ＲＥ内の回線導通検出回路を試験する場合における診断装置１００の等価回路図である。
【図４】火災受信機ＲＥ内の受信リレーの感動電流値を測定する場合における診断装置１００の等価回路図である。
【図５】感知器Ｓの接続端子間の電圧を測定する場合における診断装置１００の等価回路図である。
【図６】火災受信機ＲＥに内蔵されている予備電池ＢＴの充電電流を測定する場合における診断装置１００の等価回路図である。
【図７】上記実施例において、予備電池ＢＴの充電電流を測定する場合に使用する充電電流試験用アダプタ２０を示す図である。
【図８】上記実施例において、予備電池ＢＴの充電電流を測定する場合に使用する充電電流試験用アダプタ３０を示す図である。
【図９】診断装置１００が火災受信機ＲＥに取り付けられている例を示す斜視図である。
【図１０】本発明の第２の実施例である診断装置２００を示す斜視図である。
【図１１】本発明の第３の実施例である診断装置３００を示す斜視図である。
【図１２】本発明の第４の実施例である診断装置４００を示す斜視図である。
【符号の説明】
１００、２００、３００、４００…火災受信機の診断装置、
ｔ１１…コモン用接続端子、
ｔ１２、ｔ１３…回線用接続端子、
ｔ１４…充電電流試験用端子、
ｔ１５、充電電流試験用端子、
ｔ１６…第１のオシロスコープ用接続端子、
ｔ１７…第２のオシロスコープ用接続端子、
Ｒ１、Ｒ２、Ｒ３、Ｒ４、Ｒ５、Ｒ６…ダミー抵抗器、
Ｒ８…可変変抵抗器、
Ｍ１…メータ、
ＣＳ１、ＣＳ２、ＣＳ３、ＣＳ４…ケース、
７１…磁石、
７２…係止手段、
７３…フック、
７４…クリップ。
【図１】
0004514084.tif 000002
【図２】
0004514084.tif 000003
【図３】
0004514084.tif 000004
【図４】
0004514084.tif 000005
【図５】
0004514084.tif 000006
【図６】
0004514084.tif 000007
【図７】
0004514084.tif 000008
【図８】
0004514084.tif 000009
【図９】
0004514084.tif 000010
【図１０】
0004514084.tif 000011
【図１１】
0004514084.tif 000012
【図１２】
0004514084.tif 000013